(57)【特許請求の範囲】
【請求項１】
施設の出入口に設置された複数のカメラと、顔認証照合処理を行う顔認証照合装置と、施設に設置された複数の位置情報発信器と、保護対象者がそれぞれ保持する情報端末と、該顔認証照合装置にネットワークを介して接続されているサーバ装置とを備える徘徊防止システムであって、
前記情報端末は、該情報端末を保持している保護対象者に関する保護対象者情報及び各位置情報発信器が発信する位置情報毎に施設の領域を示すエリア情報を対応付けた位置情報テーブルを記憶していると共に、前記位置情報発信器から発信される位置情報を受信して前記位置情報テーブルを参照して施設のエリア情報を特定し、顔認証照合装置に特定したエリア情報及び前記記憶している保護対象者情報を送信し、
前記カメラは、予め設定された撮像範囲を通る人物を撮像し、前記顔認証照合装置に、該撮像した人物の撮像画像及び該カメラを識別するカメラ識別情報を送信し、
前記顔認証照合装置は、
前記保護対象者情報毎に、該保護対象者の画像を対応付けて記憶した保護対象者情報データベースと、
保護対象者の施設における移動履歴を記憶する移動履歴データベースと、
前記カメラを識別するカメラ識別情報毎に、該カメラにより監視するエリアを示すエリア情報を対応付けて記憶したカメラ情報データベースと、
前記情報端末からのエリア情報及び保護対象者情報を受信すると、その受信した情報を前記移動履歴データベースに記憶させ、前記カメラから送信された撮像画像及びカメラ識別情報を受信すると、カメラ情報データベースを参照して該受信したカメラ識別情報に対応付けられたエリア情報を特定し、前記移動履歴データベースを参照して該特定したエリア情報に対応付けられた保護対象者情報を特定し、該保護対象者情報データベースから該特定した保護対象者情報に対応付けられている保護対象者の画像を抽出し、該抽出した保護対象者の画像と、前記撮像画像とが一致するか否かを顔認証照合により判定する顔認証照合部とを有し、
さらに、前記顔認証照合部は、前記判定により保護対象者の画像と、前記撮像画像とが一致する場合、前記サーバ装置に保護対象者が施設の出入口を通過している旨の判定結果、一致した保護対象者の保護対象者情報及び前記撮像画像を送信するようになっており、
前記サーバ装置は、前記顔認証照合装置が送信した前記判定結果、前記保護対象者情報及び前記撮像画像を受信すると、予め登録された携帯端末に対して、前記ネットワークを介して、前記判定結果、前記保護対象者情報及び前記撮像画像を送信することを特徴とする徘徊防止システム。
【請求項２】
前記情報端末は、前記顔認証照合装置に前記エリア情報及び前記保護対象者情報を送信する際に、前記位置情報の受信日時を共に送信するようになっており、
前記顔認証照合部は、前記情報端末からのエリア情報及び保護対象者情報に対応付けて、前記エリア情報及び前記保護対象者情報と共に送信されてきた受信日時を前記移動履歴データベースに記憶させると共に、前記移動履歴データベースを参照して前記特定したエリア情報に対応付けられた保護対象者情報を特定する際に、現在日時から所定範囲内の受信日時が対応付けられている保護対象者情報を特定することを特徴とする請求項１記載の徘徊防止システム。
【請求項３】
前記顔認証照合部が送信する前記保護対象者情報には、保護対象者の氏名、要介護度、保護対象者の疾病情報が含まれていることを特徴とする請求項１又は２記載の徘徊防止システム。
【請求項４】
前記施設に設置された各照明機器及び音響装置を制御可能に構成され且つ前記顔認証照合装置と通信可能に構成されたコントローラを備え、
前記施設に設置された各カメラの近傍には、それぞれ、前記音響装置に接続されたスピーカが設けられ、
前記コントローラは、前記エリア情報毎に、該エリア情報により特定されるエリアに設置された照明機器を識別する機器ＩＤと、該特定されるエリアを監視対象にしているカメラの近傍に設置されたスピーカを識別するスピーカＩＤとを対応付けて記憶している機器情報データベースを有し、
前記顔認証照合装置は、前記情報端末からのエリア情報及び保護対象者情報を受信すると、その受信したエリア情報を前記コントローラに送信し、
前記コントローラは、前記顔認証照合装置からのエリア情報を受信すると、該受信したエリア情報及び前記機器情報データベースを用いて、受信したエリア情報により特定されるエリアに設置された照明機器及び該エリアを監視対象としているカメラの近傍に設置されたスピーカを特定し、該特定した照明機器に所定以上の照度の光を出力させると共に、前記音響装置を制御して、該特定したスピーカから音を出力させることを特徴とする請求項１〜３のいずれかに記載の徘徊防止システム。
【請求項５】
前記施設の各エリアには、前記コントローラにより制御されて動画情報を表示する表示装置が設置されており、
前記コントローラは、前記保護対象者情報毎に、その保護対象者情報により特定される保護対者を呼びかける動画情報を対応付けて記憶した保護対象者対応情報データベースを備え、
前記機器情報データベースに登録される前記機器ＩＤには、前記エリア情報により特定されるエリアに設置された表示装置を識別する情報も含まれており、
前記顔認証照合装置は、前記情報端末からのエリア情報及び保護対象者情報を受信すると、受信したエリア情報と共に保護対象者情報も送信するようになっており、
前記コントローラは、
前記顔認証照合装置からのエリア情報及び保護対象者情報を受信すると、前記保護対象者情報及び前記保護対象者対応情報データベースを用いて、受信した保護対象者情報により特定される保護対象者を呼びかける動画情報を読み出し、
さらに、前記受信したエリア情報及び前記機器情報データベースを用いて、受信したエリア情報により特定されるエリアに設置された表示装置を特定し、該特定した表示装置に読み出した動画情報を送信し、該表示装置に該動画情報を表示させることを特徴とする請求項４に記載の徘徊防止システム。
【請求項６】
施設の出入口に設置されたカメラと、顔認証照合処理を行う顔認証照合装置と、施設に設置された位置情報発信器と、保護対象者がそれぞれ保持する情報端末と、該顔認証照合装置にネットワークを介して接続されているサーバ装置とを備える徘徊防止システムであって、
前記情報端末は、該情報端末を保持している保護対象者に関する保護対象者情報を記憶していると共に、前記位置情報発信器から発信される位置情報を受信して前記顔認証照合装置に該位置情報の受信日時及び前記保護対象者情報を送信するようになっており、
前記カメラは、予め設定された撮像範囲を通る人物を撮像し、前記顔認証照合装置に、該撮像した人物の撮像画像を送信し、
前記顔認証照合装置は、
前記保護対象者情報毎に、該保護対象者の画像を対応付けて記憶した保護対象者情報データベースと、
保護対象者の施設における移動履歴を記憶する移動履歴データベースと、
前記情報端末から送信される該位置情報の受信日時及び前記保護対象者情報を受信し、前記移動履歴データベースに、該受信した受信日時及び保護対象者情報を記憶させると共に、前記カメラからの撮像画像を受信すると、前記移動履歴データベースを参照して、現在日時から所定範囲内の受信日時が対応付けられている保護対象者情報を特定し、前記保護対象者情報データベースから該特定した保護対象者情報に対応付けられている保護対象者の画像を抽出し、抽出した保護対象者の画像と、前記撮像画像とが一致するか否かを顔認証照合により判定する顔認証照合部とを有し、
さらに、前記顔認証照合部は、前記判定により保護対象者の画像と、前記撮像画像とが一致する場合、前記サーバ装置に保護対象者が施設の出入口を通過している旨の判定結果、一致した保護対象者の保護対象者情報及び前記撮像画像を送信し、
前記サーバ装置は、前記顔認証照合装置が送信した前記判定結果、前記保護対象者情報及び前記撮像画像を受信すると、予め登録された携帯端末に対して、前記ネットワークを介して、前記判定結果、前記保護対象者情報及び前記撮像画像を送信することを特徴とする徘徊防止システム。
【発明の詳細な説明】
【技術分野】
【０００１】
本発明は、徘徊防止システムに関し、例えば、認知症患者など徘徊癖のある人物を保護するための徘徊防止システムに関する。
【背景技術】
【０００２】
従来から、老人ホームなどの施設において、徘徊癖のある人物を保護するめのシステムが各種提案されている。
【０００３】
例えば、特許文献１には、施設に設置したカメラが撮像した画像を用いた顔認証照合処理により、予め登録された徘徊癖のある認知症患者等が特定されると、管理者のＰＨＳに文字メッセージを通知する通信システムが開示されている。
【先行技術文献】
【特許文献】
【０００４】
【特許文献１】特開２００６−３２３７０４号公報
【発明の概要】
【発明が解決しようとする課題】
【０００５】
しかしながら、上述した従来技術（特許文献１に記載の発明）は、顔認証照合処理の対象となる認知症患者の人数が多くなると、顔認証照合処理に時間がかかると共に、顔認証照合処理の精度が低下する虞があるという技術的課題を有している。そのため、特許文献１に記載の発明は、認知症患者の人数が多い施設などでは、認知症患者の徘徊を効果的の防止できない虞があった。
【０００６】
本発明は、上記技術的課題に鑑みてなされたものであり、その目的は、徘徊する虞がある保護対象者を効果的の保護する徘徊防止システムを提供することにある。
【課題を解決するための手段】
【０００７】
上記課題を解決するためになされた本発明の第１態様は、施設の出入口に設置された複数のカメラと、顔認証照合処理を行う顔認証照合装置と、施設に設置された複数の位置情報発信器と、保護対象者がそれぞれ保持する情報端末と、該顔認証照合装置にネットワークを介して接続されているサーバ装置とを備える徘徊防止システムに適用される。
また、前記情報端末は、該情報端末を保持している保護対象者に関する保護対象者情報及び各位置情報発信器が発信する位置情報毎に施設の領域を示すエリア情報を対応付けた位置情報テーブルを記憶していると共に、前記位置情報発信器から発信される位置情報を受信して前記位置情報テーブルを参照して施設のエリア情報を特定し、顔認証照合装置に特定したエリア情報及び前記記憶している保護対象者情報を送信し、前記カメラは、予め設定された撮像範囲を通る人物を撮像し、前記顔認証照合装置に、該撮像した人物の撮像画像及び該カメラを識別するカメラ識別情報を送信し、
前記顔認証照合装置は、前記保護対象者情報毎に、該保護対象者の画像を対応付けて記憶した保護対象者情報データベースと、保護対象者の施設における移動履歴を記憶する移動履歴データベースと、前記カメラを識別するカメラ識別情報毎に、該カメラにより監視するエリアを示すエリア情報を対応付けて記憶したカメラ情報データベースと、前記情報端末からのエリア情報及び保護対象者情報を受信すると、その受信した情報を前記移動履歴データベースに記憶させ、前記カメラから送信された撮像画像及びカメラ識別情報を受信すると、カメラ情報データベースを参照して該受信したカメラ識別情報に対応付けられたエリア情報を特定し、前記移動履歴データベースを参照して該特定したエリア情報に対応付けられた保護対象者情報を特定し、該保護対象者情報データベースから該特定した保護対象者情報に対応付けられている保護対象者の画像を抽出し、該抽出した保護対象者の画像と、前記撮像画像とが一致するか否かを顔認証照合により判定する顔認証照合部とを有し、さらに、前記顔認証照合部は、前記判定により保護対象者の画像と、前記撮像画像とが一致する場合、前記サーバ装置に保護対象者が施設の出入口を通過している旨の判定結果、一致した保護対象者の保護対象者情報及び前記撮像画像を送信するようになっており、
前記サーバ装置は、前記顔認証照合装置が送信した前記判定結果、前記保護対象者情報及び前記撮像画像を受信すると、予め登録された携帯端末に対して、前記ネットワークを介して、前記判定結果、前記保護対象者情報及び前記撮像画像を送信することを特徴とする。
【０００８】
上記構成によれば、サーバ装置に、施設の職員や警備員が保有する携帯端末を、予め登録しておくことにより、保護対象者が施設の出入口を通過した際に、施設の職員に保護対象者が施設の出入口を通過したことが通知されるため、認知症患者等の保護対象者の徘徊を効果的に防止することができる。
また、上記の徘徊防止システムでは、保護対象者が保持する情報端末が、位置情報発信器からの位置情報を受信し、その位置情報及び位置情報テーブルを用いて施設の領域を示すエリア情報を特定し、顔認証照合装置に特定したエリア情報及び保護対象者情報を送信するようになっている。また、顔認証照合装置が、情報端末からの「エリア情報及び保護対象者情報」を受信し、移動履歴データベースに記憶させるようになっている。この構成により、顔認証照合装置が、施設内における保護対象者の移動履歴を保持でき、保護対象者の施設内での行動が把握できる。
また、顔認証照合装置は、カメラから送信された撮像画像及びカメラ識別情報を受信すると、カメラ情報データベースを参照して該受信したカメラ識別情報に対応付けられたエリア情報を特定し、移動履歴データベース及び保護対象者情報データベースを用いて、該特定したエリア情報に対応付けられた保護対象者情報を特定し、その特定した保護対象者情報に対応付けられている保護対象者の画像を抽出し、抽出した保護対象者の画像と、撮像画像とが一致するか否かを顔認証照合により判定している。この構成により、各カメラの撮像範囲を通る際に、通過する必要がある施設の各領域（カメラが監視するエリア（監視対象エリア））にビーコンを設置しておけば、顔認証照合処理の対象を、監視対象エリアを通過した保護対象者の画像だけに絞り込め、顔認証照合処理の時間が短縮されると共に、顔認証照合処理の精度を向上させることができる。すなわち、本発明によれば、顔認証照合処理の対象となる認知症患者等の保護対象者の人数が多い施設においても、従来技術と比べて短時間で、施設の職員や警備員に保護対象者が施設の出入口等を通過した旨が通知されるため、保護対象者の徘徊を効果的の防止できる。
【０００９】
また、前記情報端末は、前記顔認証照合装置に前記エリア情報及び前記保護対象者情報を送信する際に、前記位置情報の受信日時を共に送信するようになっており、前記顔認証照合部は、前記情報端末からのエリア情報及び保護対象者情報に対応付けて、前記エリア情報及び前記保護対象者情報と共に送信されてきた受信日時を前記移動履歴データベースに記憶させると共に、前記移動履歴データベースを参照して前記特定したエリア情報に対応付けられた保護対象者情報を特定する際に、現在日時から所定範囲内の受信日時が対応付けられている保護対象者情報を特定することが望ましい。
上記の構成により、カメラの撮像画像との顔認証照合処理の対象を、現在日時から所定時間内にカメラの監視するエリア（監視対象エリア）を通過した保護対象者の画像に絞り込むことができるため、顔認証照合処理の時間がさらに短縮される。
【００１０】
また、前記顔認証照合部が送信する前記保護対象者情報には、保護対象者の氏名、要介護度、保護対象者の疾病情報が含まれていることが望ましい。
この構成により、施設の職員の携帯端末に、保護対象者が施設の出入り口を通過したことが通知される際に、保護対象者の氏名、要介護度、保護対象者の疾病情報が提示される。そのため、例えば、要介護度が高い（或いは病状が重い）保護対象者が施設の出入口等を通過したことが通知された場合に、施設の職員に対してより迅速な対応をとるように促すことができる。
【００１１】
また、本発明の第２態様は、施設の出入口に設置されたカメラと、顔認証照合処理を行う顔認証照合装置と、施設に設置された位置情報発信器と、保護対象者がそれぞれ保持する情報端末と、該顔認証照合装置にネットワークを介して接続されているサーバ装置とを備える徘徊防止システムに適用される。
また、前記情報端末は、該情報端末を保持している保護対象者に関する保護対象者情報を記憶していると共に、前記位置情報発信器から発信される位置情報を受信して前記顔認証照合装置に該位置情報の受信日時及び前記保護対象者情報を送信するようになっており、前記カメラは、予め設定された撮像範囲を通る人物を撮像し、前記顔認証照合装置に、該撮像した人物の撮像画像を送信し、
前記顔認証照合装置は、前記保護対象者情報毎に、該保護対象者の画像を対応付けて記憶した保護対象者情報データベースと、保護対象者の施設における移動履歴を記憶する移動履歴データベースと、前記情報端末から送信される該位置情報の受信日時及び前記保護対象者情報を受信し、前記移動履歴データベースに、該受信した受信日時及び保護対象者情報を記憶させると共に、前記カメラからの撮像画像を受信すると、前記移動履歴データベースを参照して、現在日時から所定範囲内の受信日時が対応付けられている保護対象者情報を特定し、前記保護対象者情報データベースから該特定した保護対象者情報に対応付けられている保護対象者の画像を抽出し、抽出した保護対象者の画像と、前記撮像画像とが一致するか否かを顔認証照合により判定する顔認証照合部とを有し、さらに、前記顔認証照合部は、前記判定により保護対象者の画像と、前記撮像画像とが一致する場合、前記サーバ装置に保護対象者が施設の出入口を通過している旨の判定結果、一致した保護対象者の保護対象者情報及び前記撮像画像を送信し、
前記サーバ装置は、前記顔認証照合装置が送信した前記判定結果、前記保護対象者情報及び前記撮像画像を受信すると、予め登録された携帯端末に対して、前記ネットワークを介して、前記判定結果、前記保護対象者情報及び前記撮像画像を送信することを特徴とする。
【００１２】
本発明の第２態様によれば、カメラの撮像範囲を通過するために通る必要がある領域にビーコンを設置しておけば、顔認証照合処理の対象を、そのビーコンの設置エリアを通過した保護対象者の画像だけに絞り込めるため、顔認証照合処理の時間が短縮されると共に、顔認証照合処理の精度を向上させることができる。
【００１３】
また、前記施設に設置された各照明機器及び音響装置を制御可能に構成され且つ前記顔認証照合装置と通信可能に構成されたコントローラを備え、前記施設に設置された各カメラの近傍には、それぞれ、前記音響装置に接続されたスピーカが設けられ、前記コントローラは、前記エリア情報毎に、該エリア情報により特定されるエリアに設置された照明機器を識別する機器ＩＤと、該特定されるエリアを監視対象にしているカメラの近傍に設置されたスピーカを識別するスピーカＩＤとを対応付けて記憶している機器情報データベースを有し、前記顔認証照合装置は、前記情報端末からのエリア情報及び保護対象者情報を受信すると、その受信したエリア情報を前記コントローラに送信し、前記コントローラは、前記顔認証照合装置からのエリア情報を受信すると、該受信したエリア情報及び前記機器情報データベースを用いて、受信したエリア情報により特定されるエリアに設置された照明機器及び該エリアを監視対象としているカメラの近傍に設置されたスピーカを特定し、該特定した照明機器に所定以上の照度の光りを出力させると共に、前記音響装置を制御して、該特定したスピーカから音を出力させることが望ましい。
【００１４】
この構成により、情報端末を保持している保護対象者が通過した施設のエリアの照明機器から所定以上の照度の光が出力されるようになり、カメラが保護対象者を鮮明に撮像できるようになる。その結果、本発明によれば、顔認証照合装置による顔認証処理の精度を高めることができる。
また、上記の構成により、情報端末を保持している保護対象者が通過した施設のエリアを監視対象にしているカメラの近傍に設置されたスピーカから音が出力されるため、対応するカメラに保護対象者を振り向かせる効果が期待される。その結果、カメラが保護対象者の顔を正面から撮像できる可能性を高めることができる（顔認証照合装置による顔認証処理の精度が高まる）。
【００１５】
また、前記施設の各エリアには、前記コントローラにより制御されて動画情報を表示する表示装置が設置されており、前記コントローラは、前記保護対象者情報毎に、その保護対象者情報により特定される保護対者を呼びかける動画情報を対応付けて記憶した保護対象者対応情報データベースを備え、前記機器情報データベースに登録される前記機器ＩＤには、前記エリア情報により特定されるエリアに設置された表示装置を識別する情報も含まれており、前記顔認証照合装置は、前記情報端末からのエリア情報及び保護対象者情報を受信すると、受信したエリア情報と共に保護対象者情報も送信するようになっており、前記コントローラは、前記顔認証照合装置からのエリア情報及び保護対象者情報を受信すると、前記保護対象者情報及び前記保護対象者対応情報データベースを用いて、受信した保護対象者情報により特定される保護対象者を呼びかける動画情報を読み出し、さらに、前記受信したエリア情報及び前記機器情報データベースを用いて、受信したエリア情報により特定されるエリアに設置された表示装置を特定し、該特定した表示装置に読み出した動画情報を送信し、該表示装置に該動画情報を表示させることが望ましい。
【００１６】
上記の構成によれば、情報端末を保持している保護対象者が通過した施設のエリアに設置された表示装置から、保護対象者を呼びかける動画情報が表示されるため、保護対象者をそのエリアに足留めさせる効果が期待でき、施設の職員や警備員が当該エリアに到着するまでの時間を稼ぐことができる。その結果、保護対象者が施設から出て行ってしまうことを防止される。
【発明の効果】
【００１７】
本発明によれば、徘徊する虞がある保護対象者を効果的の保護する徘徊防止システムを提供することができる。
【図面の簡単な説明】
【００１８】
【図１】本実施形態の徘徊防止システムの全体構成を示した模式図である。
【図２】本実施形態の徘徊防止システムのカメラ及びビーコンの設置例を示した模式図である。
【図３】本実施形態の徘徊防止システムのウェアラブル端末に設けられる保護対象者情報データベースを示した模式図である。
【図４】本実施形態の徘徊防止システムのウェアラブル端末に設けられる位置情報テーブルを示した模式図である。
【図５】本実施形態の徘徊防止システムの顔認証照合装置に設けられる保護対象者情報データベースを示した模式図である。
【図６】本実施形態の徘徊防止システムの顔認証照合装置に設けられるカメラ情報データベースを示した模式図である。
【図７】本実施形態の徘徊防止システムの顔認証照合装置に設けられる移動履歴データベースを示した模式図である。
【図８】本実施形態の徘徊防止システムの情報提供サーバに設けられる端末データベースを示した模式図である。
【図９】本実施形態の徘徊防止システムで用いられるスマートフォンの設定処理の手順を示したフローチャートである。
【図１０】本実施形態の徘徊防止システムが保護対象者の移動履歴を取得する処理の手順を示したフローチャートである。
【図１１】本実施形態の徘徊防止システムを構成する顔認証照合装置が行う顔認証照合処理の手順を示したフローチャートである。
【図１２】本実施形態の徘徊防止システムを構成する情報提供サーバが、スマートフォンに保護対象者に関する情報を提供する処理の手順を示したフローチャートである。
【図１３】本実施形態で用いられるスマートフォンのログイン画面を示した模式図である。
【図１４】本実施形態の徘徊防止システムがスマートフォンに提供する保護対象者に関する情報を表示する画面を示した模式図である。
【図１５】本実施形態の変形例の徘徊防止システムの機器構成を示した模式図である。
【図１６】本実施形態の変形例の機器情報データベースを示した模式図である。
【図１７】本実施形態の変形例の保護対象者対応情報データベースを示した模式図である。
【発明を実施するための形態】
【００１９】
以下、本発明の実施形態について図面を用いて説明する。先ず、本実施形態の徘徊防止システムの構成について図１〜図８を用いて説明する。
【００２０】
図1に示すように、本実施形態の徘徊防止システムは、施設の出入口に設置された複数のカメラ（例えば、ＣＣＤカメラ）Ｃ１・・・Ｃｎと、施設に設置された複数のビーコン（位置情報発信器）Ｂ１・・・Ｂｎと、保護対象者がそれぞれ保持するウェアラブル端末（情報端末）１と、カメラＣ１・・・Ｃｎが撮像した人物の撮像画像（顔画像）と予め記憶された保護対象者の画像（顔画像）とを照合する顔認証照合処理を行う顔認証照合装置２と、顔認証照合装置２とネットワークＮＷ（インターネット）を介して接続されている情報提供サーバ（サーバ装置）３とを備えている。
【００２１】
また、スマートフォン（携帯端末）ＳＰは、施設の職員や警備員等に保持されている。また、ネットワークＮＷには、スマートフォンＳＰにプッシュ通知を行うためのプッシュ通知サーバ７が接続されている。
【００２２】
ここで、カメラＣ１・・・Ｃｎは、図２に例示するように、施設（病院、老人ホーム等の施設）の出入口の近傍に設置され、施設の出入口を通過する人物の顔画像が撮像できるように撮像範囲が設定されている（レンズやカメラの設置角度が調節されている）。そして、カメラＣ１・・・Ｃｎは、設定された撮像範囲を通る人物を撮像し、顔認証照合装置２に、該撮像した人物の撮像画像（顔画像）及びカメラＣ１・・・Ｃｎを識別するカメラ識別情報を送信するようになっている。
なお、本実施形態では、各カメラＣ１・・・Ｃｎが担当する監視エリアが定められている。
【００２３】
また、ビーコンＢ１・・・Ｂｎは、図２に示すように、施設のエントランスの天井や廊下の天井等に設置されており、数秒間隔で位置情報を発信するように構成されている（無線で位置情報を発信するように構成されている）。なお、ビーコンＢ１・・・Ｂｎの設置位置の近傍を保護対象者が通過すると、その保護対象者が保持するウェアラブル端末１が、ビーコンＢ１・・・Ｂｎからの位置情報を受信できるようになっている。
なお、各ビーコンＢ１・・・Ｂｎは、各カメラＣ１・・・Ｃｎの撮像範囲を通る場合に、通過する必要がある施設の領域に設置されている。例えば、カメラＣ１の撮像範囲を通るために、通過する必要がある領域Ｅ１１、Ｅ１２にビーコンＢ１、Ｂ２、Ｂ３、Ｂ４が設置されている。
【００２４】
また、ウェアラブル端末１は、ビーコンＢ１・・・Ｂｎからの位置情報を受信すると、その「位置情報」及び「位置情報テーブル１６（位置情報テーブル１６の構成は後述する）」を用いて施設の領域（エリア）を示すエリア情報（１階エントランス、１Ｆ廊下、食堂、地下１階駐車場等のエリア情報）を特定する。また、ウェアラブル端末１は、顔認証照合装置２に特定した「エリア情報」、「位置情報の受信日時」及び「ウアラブル端末１に記憶されている保護対象者情報」を送信する。
【００２５】
また、顔認証照合装置２は、保護対象者情報毎に、保護対象者の画像（顔画像）を対応付けて記憶した保護対象者情報データベース２５と、カメラＣ１・・・Ｃｎを識別するカメラ識別情報（カメラＩＤ）毎に、カメラにより監視するエリア（監視対象エリア）を示すエリア情報対応付けて記憶したカメラ情報データベース２６と、保護対象者の施設での移動履歴を記憶する移動履歴データベース２７とを備えている。
【００２６】
そして、顔照合認証装置２は、ウェアラブル端末１からの「エリア情報、位置情報の受信日時及び保護対象者情報」を受信する度に、移動履歴データベース２７に、「エリア情報、位置情報の受信日時及び保護対象者情報」を登録する。この構成により、施設内における保護対象者の移動履歴が顔認証照合装置２に保持され、保護対象者の施設内での行動が把握できる。
【００２７】
また、顔認証照合装置２は、カメラＣ１・・・Ｃｎから送信された撮像画像及びカメラＩＤを受信すると、カメラ情報データベース２６を参照して受信したカメラＩＤにより特定されるカメラＣ１・・・Ｃｎが担当する監視対象エリア（エリア情報）を特定する。また、顔認証照合装置２は、移動履歴データベース２７から特定したエリア情報に対応付けられた保護対象者情報を選定すると共に、保護対象者情報データベース２５から選定した保護対象者情報に対応付けられている保護対象者の画像を抽出し、抽出した保護対象者の画像と、受信した撮像画像とが一致するか否かを顔認証照合により判定する。
【００２８】
また、顔照合認証装置２は、保護対象者情報データベース２５から抽出した保護対象者の画像と、受信した撮像画像とが一致した場合、「保護対象者が施設の出入口を通過している」と判定し、情報提供サーバ３に、その判定結果（保護対象者が施設の出入口を通過している旨）と、「一致した保護対象者の保護対象者情報及び撮像画像」とを送信するようになっている。
【００２９】
また、情報提供サーバ３は、顔認証照合装置２が送信した「判定結果（保護対象者が施設の出入口を通過している旨）」及び「保護対象者情報及び撮像画像」を受信すると、予め登録されているスマートフォンＳＰに対して、ネットワークＮＷを介して、「保護対象者が施設の出入口を通過している旨」を通知すると共に、「保護対象者の撮像画像」及び「保護対象者情報」を含む保護対象者に関する情報を提供するようになっている（図１４参照）。
【００３０】
このように、本実施形態によれば、保護対象者が施設の出入口を通過した際に、施設の職員や警備員のスマートフォンＳＰに「保護対象者が施設の出入口等を通過している旨」が通知され、且つ施設の出入口等を通過した保護対象者の撮像画像及び保護対象者情報が提供されるため、認知症患者等の保護対象者の徘徊を効果的に防止することができる。
また、本実施形態では、顔認証照合処理の対象を、カメラＣ１・・・Ｃｎの監視対象エリアを通過した保護対象者の画像だけに絞り込むようにしているため、顔認証照合処理の時間が短縮されると共に、顔認証照合処理の精度を向上させることができる。すなわち、本実施形態によれば、顔認証照合処理の対象となる認知症患者等の保護対象者の人数が多い施設においても、従来技術と比べて短時間で、施設の職員や警備員に保護対象者が施設の出入口等を通過した旨が通知されるため、保護対象者の徘徊を効果的の防止できる。
以下、本実施形態の徘徊システムを構成する各装置について詳細に説明する。
【００３１】
先ず、ウェアラブル端末１の構成を説明する。
ウェアラブル端末１は、位置情報取得部１０と、エリア情報生成部１１と、顔認証照合装置２との間で各種情報の授受を行う通信処理部１２と、保護対象者情報データベース１５と、位置情報テーブル１６とを備えている。また、ウェアラブル端末１には、時計機能（図示せず）が搭載されている。
【００３２】
尚、ウェアラブル端末１は、中央処理装置（ＣＰＵ）、主記憶装置、補助記憶装置、入出力Ｉ/Ｆ及び通信Ｉ/Ｆを備えた小型デバイスであり、例えば、腕時計型のデバイスを用いることができる。前記補助記憶装置には、各部（位置情報取得部１０、エリア情報生成部１１、通信処理部１２）の機能を実現するためのプログラムが格納されている。また、前記補助記憶装置には、保護対象者情報データベース１５及び位置情報テーブル１６が記憶されている。
そして、ウェアラブル端末１の各部（位置情報取得部１０、エリア情報生成部１１、通信処理部１２）の機能は、前記中央処理装置が前記補助記憶装置に格納された前記プログラムを主記憶装置にロードして実行することにより実現される。
【００３３】
次にウェアラブル端末１の各構成部を詳細に説明する。
保護対象者情報データベース１５は、ウェアラブル端末１を保持している保護対象者に関する情報を記憶するためのデータベースであり、ウェアラブル端末１を保持している保護対象者を識別する「保護対象者識別情報（保護対象者ＩＤ）」に対応付けて、「性別」、「年齢」、「氏名」及び「備考情報（親族の氏名や連絡先、要介護度、疾病情報等の情報）」が登録されている。
例えば、図３に示すように、保護対象者情報データベース１５は、保護対象者ＩＤを登録するためのフィールド１５ａと、性別を登録するためのフィールド１５ｂと、年齢を登録するためのフィールド１５ｃと、氏名を登録するためのフィールド１５ｄと、備考情報を登録するためのフィールド１５ｅとを備えたレコ-ドにより構成されている（１つのレコードにより構成されている）。
【００３４】
また、位置情報テーブル１６は、各ビーコンＢ１・・・Ｂｎが発信する位置情報毎に該位置情報により特定される位置が含まれる施設のエリアを示すエリア情報を対応付けて登録したものである。
例えば、図４に示すように、位置情報テーブル１６は、各ビーコンＢ１・・・Ｂｎが発信する位置情報を登録するためのフィールド１６aと、フィールド１６aに登録された位置情報が示す位置が含まれる施設のエリアを示すエリア情報を登録するためのフィールド１６ｂとを備えたレコードで構成されている（ビーコンＢ１・・・Ｂｎが発信する位置情報毎に設けられた、複数のレコードで構成されている）。
図示する最上段のレコードには、フィールド１６aに「＊＊＊０００１」が登録され、フィールド１６ｂに「Ｅ１１（１階エントランスホール）」が登録されている。この例は、図２に示すビーコンＢ１から発信される位置情報（ビーコンＢ１の設置位置）と、位置情報（ビーコンＢ１の設置位置が示す位置が含む施設のエリア（１Ｆエントランスホール）とを登録したレコードを示している。
【００３５】
また、位置情報取得部１０は、ビーコンＢ１・・・Ｂｎが発信する位置情報を受信すると共に、図示しない時計機能から位置情報の受信日時（年／月／日／時／分／秒）を取得する。
エリア情報生成部１１は、位置情報取得部１０が受信した位置情報と、位置情報テーブル１６とを用いてエリア情報を特定する。エリア情報生成部１１は、例えば、位置情報として「＊＊＊０００１」を受信した場合、位置情報テーブル１６からエリア情報として「Ｅ１１（１Ｆエントランスホール）」を特定する。
【００３６】
また、エリア情報生成部１１は、エリア情報を特定すると、保護対象者情報データベース１５から保護対象者情報（「保護対象者ＩＤ」、「性別」、「年齢」、「氏名」及び「備考情報」）を読み出す。その後、エリア情報生成部１１は、通信処理部１２を介して、顔認証照合装置２に、特定した「エリア情報」、「位置情報の受信日時」及び「保護対象者情報」を送信する。
なお、通信処理部１２が顔認証照合装置２と行う通信手段は、特に限定しないが、例えば、無線（ワイヤレスＬＡＮ等の無線）により、通信処理部１２と、顔認証照合装置２が通信を行うようになっている。
【００３７】
次に、顔認証照合装置２の構成を説明する。
顔認証照合装置２は、図１に示すように、制御部２０と、通信処理部２１と、顔認証照合部２２と、保護対象者情報データベース２５と、カメラ情報データベース２６と、移動履歴データベース２７とを備えている。
尚、顔認証照合装置１のハードウェア構成は、特に限定されるものではないが、例えば、中央処理装置（ＣＰＵ）、主記憶装置、補助記憶装置、入出力Ｉ/Ｆ及び通信Ｉ/Ｆを備えるコンピュータ（１台或いは複数台のコンピュータ）により構成される。
【００３８】
また、前記補助記憶装置には、各部（制御部２０と、通信処理部２１と、顔認証照合部２２）の機能を実現するためのプログラムが格納されている。また、前記補助記憶装置には、保護対象者情報データベース２５と、カメラ情報データベース２６と、移動履歴データベース２７とが格納されている。
また、前記補助記憶装置には、顔認証照合装置２を設置した施設を識別するための施設情報が記憶されている。なお、以下では、施設情報が、施設を識別する施設ＩＤ（英数字などで構成される一意のデータ）である場合を例にする。
なお、施設ＩＤは、本実施形態の徘徊防止システムのサービスを提供する事業者により割り当てられているものとする。
【００３９】
そして、顔認証照合装置１の各部（制御部２０、通信処理部２１及び顔認証照合部２２）の機能は、前記中央処理装置が前記補助記憶装置に格納された前記プログラムを主記憶装置にロードして実行することにより実現される。
【００４０】
次に顔認証照合装置２の各構成部について説明する。
保護対象者情報データベース２５は、図５に示すように、保護対象者ＩＤを登録するためのフィールド２５ａと、保護対象者の性別を登録するためのフィール２５ｂと、保護対象者の年齢を登録するためのフィールド２５ｃと、保護対象者の氏名を登録するためのフィールド２５ｄと、保護対象者を撮像した画像（顔画像）を登録するめのフィールド２５ｅと、備考情報を登録するためのフィールド２５ｆとを備えたレコ-ドにより構成されている（保護対象者毎に設けた、複数のレコードにより構成されている）。なお、フィールド２５ｆには、備考情報として、例えば、保護対象者の親族の氏名及びその連絡先、要介護度、疾病情報等の情報が登録される。
【００４１】
例えば、図５の最上段のレコードには、フィールド２５aに保護対象者ＩＤである「Ｐ００１」が登録され、フィールド２５ｂに「Ｐ００１」により特定される保護対象者の性別（男性）が登録され、フィールド２５ｃには「Ｐ００１」により特定される保護対象者の年齢（８０歳）が登録され、フィールド２５ｄには「Ｐ００１」により特定される保護対象者の氏名（○○△×）が登録され、フィールド２５ｅには「Ｐ００１」により特定される保護対象者を撮像した画像（顔画像）が登録され、フィールド２５ｆには「Ｐ００１」により特定される保護対象者の備考情報（親族の氏名及び連絡先、要介護度、疾病情報）が登録されている。
【００４２】
カメラ情報データベース２６は、図６に示すように、カメラＩＤを登録するためのフィールド２６ａと、カメラＩＤにより特定されるカメラＣ１…Ｃｎの監視対象エリア（エリア情報）を登録するためのフィールド２６ｂと、カメラＩＤにより特定されるカメラＣ１…Ｃｎの設置位置を登録するためのフィールド２６ｃとを備えたレコ-ドにより構成されている（カメラ毎に設けた、複数のレコードにより構成されている）。
尚、本実施形態では、カメラＣ１…Ｃｎは、施設の出入口を撮像できる位置に設置されているため、カメラの設置位置として、施設の出入口を示す情報（１階正面出入口、１階東出入口、Ｂ１階夜間出入口、Ｂ１階駐車場出入口等の情報）が登録される。
【００４３】
例えば、図６の最上段のレコードでは、フィールド２６aにカメラＩＤである「Ｃ０００１」が登録され、フィールド２６ｂに「Ｃ０００１」により特定されるカメラＣ１の監視対象エリア（Ｅ１１（１階エントランスホール）、Ｅ１２（１階廊下Ａ））が登録され、フィールド２６ｃに「Ｃ０００１」により特定されるカメラＣ１の設置位置（施設の１階正面出入口）が登録されている。そして、本実施形態では、「Ｃ０００１」により特定されるカメラＣ１の撮像画像は、「１階エントランスホールを通過した保護対象者の画像」及び「１階廊下Ａを通過した保護対象者の画像」のみと照合が行われるようになっている。
【００４４】
移動履歴データベース２７は、図７に示すように、保護対象者IＤを登録するためのフィールド２７aと、保護対象者が通過したエリアを示すエリア情報を登録するためのフィールド２７ｂと、保護対象者が当該エリアを通過した日時を登録するためのフィールド２７ｃとを備えたレコードにより構成されている。
例えば、図７の最上段のレコードでは、「Ｐ００１」により特定される保護対象者が、「１階エントランスホール」を「２０１４年１０月１１日１０時１４分」に通過しことが登録されており、２段目のレコードでは、「Ｐ００２」により特定される保護対象者が、「地下１階駐車場」を「２０１４年１０月１１日１０時１５分」に通過しことが登録されている。
【００４５】
また、制御部２０は、顔認証照合装置２全体の動作を制御する。通信処理部２１は、ネットワークＮＷを介して、情報提供サーバ３の情報提供部３１との間で各種情報の授受を行ったり、ウェアラブル端末１との間で各種情報の授受を行ったりする。
【００４６】
また、顔認証照合部２２は、通信処理部２１を介して、ウェアラブル端末１からの「エリア情報、位置情報の受信日時及び保護対象者情報」を受信し、移動履歴データベース２７に、「エリア情報、位置情報の受信日時及び保護対象者情報」を登録する。
また、顔認証照合部２２は、後述する図１１において説明するように、保護対象者情報データベース２５に登録された保護対象者の画像と、カメラＣ１…Ｃｎの撮像画像とが一致するか否かを判定する。
【００４７】
また、顔認証照合部２２は、上記の判定により、保護対象者情報データベース２５に登録された保護対象者の画像と、カメラＣ１…Ｃｎの撮像画像とが一致した場合、「保護対象者が施設の出入口を通過している」と判定し、通信処理部２１を介して、情報提供サーバ３に、その判定結果（保護対象者が施設の出入口を通過している旨）と、一致した保護対象者の保護対象者情報及び撮像画像と、補助記憶装置に記憶された施設情報（施設ＩＤ）とを送信する。
【００４８】
次に、情報提供サーバ３の構成を説明する。
情報提供サーバ３は、制御部３０と、情報提供部３１と、端末データベース３５とを有している。
尚、情報提供サーバ３のハードウェア構成は、特に限定されるものではないが、例えば、中央処理装置（ＣＰＵ）、主記憶装置、補助記憶装置、入出力Ｉ/Ｆ及び通信Ｉ/Ｆを備えるコンピュータ（１台或いは複数台のコンピュータ）により構成される。
【００４９】
また、上記補助記憶装置には、各部（制御部３０、情報提供部３１）の機能を実現するためのプログラムが格納されている。また、前記補助記憶装置の所定領域には、端末データベース３５が格納されている。そして、各部（制御部３０、情報提供部３１）の機能は、前記中央処理装置が補助記憶装置に格納された前記プログラムを主記憶装置にロードして実行することにより実現される。
【００５０】
次に、情報提供サーバ３の各構成部を説明する。
端末データベース３５は、ユーザ（施設の職員や警備員等）のユーザ情報（ユーザＩＤ、ログインパスワード）に対応付けて、ユーザ（職員や警備員等）が保持しているスマートフォンＳＰを識別する識別子を含むデバイストークン（端末識別情報）と、施設情報（施設ＩＤ）とを対応付けて登録するためのデータベースである。
【００５１】
具体的には、端末データベース３５は、図８に示すように、ユーザＩＤを登録するためのフィールド３５ａと、パスワードを登録するためのフィールド３５ｂと、デバイストークンを登録するためのフィールド３５ｃと、施設情報（施設ＩＤ）を登録するためのフィールド３５ｄとを備えるレコードにより構成されている（ユーザＩＤ毎に設けられた、複数のレコードにより構成されている）。
【００５２】
情報提供サーバ３の制御部３０は、情報提供サーバ３全体の動作を制御する。
また、情報提供部３１は、顔認証照合装置１が送信した「判定結果（保護対象者が施設の出入口を通過している旨の判定結果）、撮像画像及び保護対象者情報」及び「施設情報」を受信すると、端末データベース３５を参照し、施設情報に対応付けられたスマートフォンＳＰを特定する。また、情報提供部３１は、プッシュ通知サーバ７を介して、特定したスマートフォンＳＰに「保護対象者が施設の出入口を通過している旨」を通知すると共に（図１４（ａ）参照）、顔認証照合装置２から送信された「カメラＣ１…Ｃｎの撮像画像」及び「保護対象者情報」を提供する（図１４（ｂ）に示す、保護対象者情報提供サイト１２０を送信する）。
【００５３】
次に、本実施形態の徘徊防止システムが行う処理内容について説明する。
先ず、本実施形態の徘徊防止システムを利用するためのスマートフォンＳＰの設定処理について、図９、図１３を用いて説明する。
なお、図９は、本実施形態の徘徊防止システムで用いられるスマートフォンの設定処理の手順を示したフローチャートである。また、図１３は、本実施形態で用いられるスマートフォンのログイン画面を示した模式図である。
【００５４】
本実施形態の徘徊防止システムを利用するためには、保護対象者がいる施設の職員等のユーザは、自身が持つスマートフォンＳＰに、専用のアプリケ−ションプログラム（徘徊防止システム連携アプリ２０）をインストールし、スマートフォンＳＰを徘徊防止システムと連携して機能できるように設定する必要がある。
そして、スマートフォンＳＰに徘徊防止システム連携アプリ２０をインストールして初期設定を行い、徘徊防止システム連携アプリ２０を起動させた状態にすると、スマートフォンＳＰは、情報提供サーバ３からのプッシュ通知が受信されるようになると共に、情報提供サーバ３が提供する保護対象者情報提供サイト（図１４（ｂ）参照）にアクセスし、スマートフォンＳＰの表示部に保護対象者情報提供サイトを表示できるようになる。
【００５５】
具体的には、先ず、スマートフォンＳＰのユーザは、図示しないアプリケーションサーバ（例えば、米国アップル社のアプリケーションサーバ）から徘徊防止システム連携アプリ２０をスマートフォンＳＰにインストールして、初期設定をする（Ｓ１）。
【００５６】
ここで初期設定について説明する。ユーザが、スマートフォンＳＰにインストールした徘徊防止システム連携アプリ２０を起動させると、スマートフォンＳＰのＯＳ（Operating System）を介して、プッシュ通知サーバ７に登録要求が送信される。この登録要求に対し、プッシュ通知サーバ７は、登録要求をしたスマートフォンＳＰのデバイストークンを生成し、スマートフォンＳＰにデバイストークンを送信する。スマートフォンＳＰは、プッシュ通知サーバ７からのデバイストークンを受信すると、徘徊防止システム連携アプリ２０により提供される初期設定画面（図示せず）を表示させ、ユーザＩＤ（英数字などで構成される一意のデータ）、パスワード及び施設情報（施設ＩＤ）を入力させる。スマートフォンＳＰは、ユーザＩＤ、パスワード及び施設情報の入力を受け付けると、「ユーザＩＤ、パスワード及び施設情報」を情報提供サーバ３の端末データベース３５に登録する（情報提供サーバ３がスマートフォンＳＰからの情報（ユーザＩＤ、パスワード及び施設情報）を端末データベース３５に登録する）。また、スマートフォンＳＰは、内蔵のメモリに、プッシュ通知サーバ７からのデバイストークンを記憶させる。
なお、スマートフォンＳＰのユーザは、この初期設定に先だって、本実施形態の徘徊防止システムのサービスを提供する事業者から、初期設定で入力する必要がある施設情報（施設ＩＤ）を取得しているものとする。
【００５７】
Ｓ１の初期設定を終了後、ユーザが徘徊防止システム連携アプリ２０を起動すると、スマートフォンＳＰは、図１３に示すログイン画面１００を表示する（Ｓ２）。ユーザは、ログイン画面１００上で、ユーザＩＤ及びパスワードを入力してログイン処理をする（Ｓ３、Ｓ４）。
【００５８】
具体的には、スマートフォンＳＰは、ユーザから「ユーザＩＤ及びパスワード」の入力を受け付けると、情報提供サーバ３の情報提供部３１に「ユーザＩＤ及びパスワード」を送信する。情報提供部３１は、スマートフォンＳＰから送信された「ユーザＩＤ及びパスワード」と、端末データベース３５を照合して「ユーザＩＤ及びパスワード」が正しければ、スマートフォンＳＰに図１３に示すログイン成功画面１０１を送信し、スマートフォンＳＰにログイン成功画面１０１を表示して、Ｓ５の処理に進む。
一方、情報提供部３１は、照合の結果、受信した「ユーザＩＤ及びパスワード」が端末データベース３５に登録されているものと一致しなければ、スマートフォンＳＰに図１３に示すログイン失敗画面１０２を送信して、スマートフォンＳＰにログイン失敗画面１０２を表示して、Ｓ３の処理に戻り、ユーザに、「ユーザＩＤ及びパスワード」の再入力を促す。
【００５９】
Ｓ５では、スマートフォンＳＰは、情報提供サーバ３の情報提供部３１に、自身のデバイストークン（プッシュ通知サーバ７から取得したデバイストークン）を送信する。
また、情報提供サーバ３の情報提供部３１は、スマートフォンＳＰから送信されたデバイストークンを受信すると、端末データベース３５のなかの、Ｓ３で入力された「ユーザＩＤ及びパスワード」を登録したレコードに、受信したデバイストークンを登録する（Ｓ６）。
【００６０】
Ｓ６の処理が終わると、スマートフォンＳＰは、防犯システム連携アプリ２０により、防犯システムと連携して機能する。すなわち、Ｓ６の処理が終わると、スマートフォンＳＰは、保護対象者が施設の出入口を通過する度に、その旨を示す情報がプッシュ通知されると共に、施設を通過していると判定した保護対象者を撮像した画像を含む保護対象者情報提供サイトにアクセスできるようになる。
【００６１】
次に、本実施形態の徘徊防止システムが行う「保護対象者の施設における移動履歴を取得する処理」について、図１０を参照しながら説明する。
なお、図１０は、本実施形態の徘徊防止システムが保護対象者の移動履歴を取得する処理の手順を示したフローチャートである。なお、各保護対象者（老人ホームの入居者等）は、自分の情報（保護対象者ＩＤ、性別、年齢、氏名、親族の連絡先、要介護度、疾病情報等）が登録されたウェアラブル端末１を装着している。
【００６２】
保護対象者が施設内を移動して、ビーコンＢ１…Ｂｎの設置位置の近傍を通過すると、保護対象者が装着しているウェアラブル端末１の位置情報取得部１０が、ビーコンＢ１・・・Ｂｎが発信する位置情報を受信する（Ｓ１１）。このときに、位置情報取得部１０は、自身の時計機能から、位置情報の受信日時（年／月／日／時／分／秒）を特定し、Ｓ１２の処理に進む。
【００６３】
Ｓ１２では、エリア情報生成部１１が、位置情報取得部１０から位置情報及び受信日時を取得し、位置情報取得部１０が受信した位置情報と、位置情報テーブル１６とを用いてエリア情報を特定し、Ｓ１３の処理に進む。
Ｓ１３では、エリア情報生成部１１は、保護対象者情報データベース１５から保護対象者情報（「保護対象者ＩＤ」、「性別」、「年齢」、「氏名」及び「備考情報」）を読み出す。また、エリア情報生成部１１は、通信処理部１２を介して、顔認証照合装置２に、特定した「エリア情報」、「位置情報の受信日時」及び「保護対象者情報」を送信する。なお、本実施形態では、エリア情報生成部１１は、保護対象者情報のうち「保護対象者ＩＤ」だけを顔認証照合装置２に出力する。
【００６４】
また、顔認証照合装置２の顔認証照合部２２は、通信処理部２１を介して、上記のウェアラブル端末１が送信した「エリア情報」、「位置情報の受信日時」及び「保護対象者ＩＤ」を受信し（Ｓ２１）、Ｓ２２の処理に進む。
【００６５】
Ｓ２２では、顔認証照合部２２は、移動履歴データベース２７に、Ｓ２１で受信した「エリア情報、位置情報の受信日時及び保護対象者ＩＤ」を登録する。ここでは、受信した「保護対象者ＩＤ」がフィールド２７ａに登録され、受信した「エリア情報」がフィールド２７ｂに登録され、受信した「位置情報の受信日時」が通過日時としてフィールド２７ｃに登録されたレコードが、移動履歴データベース２７に格納される。
このように、本実施形態では、保護対象者が、ビーコンＢ１…Ｂｎの設置位置・近傍を通過する度に、ウェアラブル端末１から「保護対象者が通過した施設のエリア情報、及び位置情報の受信日時（通過日時）」が顔認証照合装置２に送られ、顔認証照合装置２が、ウェアラブル端末１からの「エリア情報及び受信日時（通過日時）」を登録するようになっている。そのため、本実施形態では、顔認証照合装置２に、保護対象者の移動履歴が登録されていく。
【００６６】
次に、本実施形態の徘徊防止システムが行う顔認証照合処理について、図１１を用いて説明する。
尚、図１１は、本実施形態の徘徊防止システムを構成する顔認証照合装置が行う顔認証照合処理の手順を示したフローチャートである。
【００６７】
顔認証照合装置１の顔認証照合部２２は、カメラＣ１…Ｃｎから送信される「施設の出入口を通過する人物の撮像画像、及びカメラＩＤ」を受信し（Ｓ３１）。受信した撮像画像に対して、色調整などの画像処理を施す。
【００６８】
次に、顔認証照合２２は、受信したカメラＩＤ及びカメラ情報データベース２６を用いて、受信したカメラＩＤにより特定されるカメラＣ１…Ｃｎの監視対象エリア及びカメラの設置位置を特定する（Ｓ３２）。
例えば、顔認証照合部２２は、受信したカメラＩＤが「Ｃ０００１」の場合、カメラ情報データベース２５（図６参照）を参照して、フィールド２５ａに「Ｃ０００１」が登録されたレコードを読み出し、カメラＩＤが「Ｃ０００１」により特定されるカメラＣ１の監視対象エリアが「Ｅ１１（１階エントランスホール）」及び「Ｅ１２（１階廊下Ａ）」であり、カメラＣ１の設置位置が「１階正面出入口」であると特定する。
【００６９】
次に、顔認証照合部２２は、Ｓ３２で特定した監視対象エリアと、移動履歴データベース２７（図７）とを用いて、特定した監視対象エリアを通過した保護対象者がいるか否かを判定する（Ｓ３３、３４）。ここでは、顔認証照合部２２は、移動履歴データベース２７に登録されたレコードのなかに、Ｓ３２で特定した監視対象エリアを示すエリア情報が登録されたレコードが有るか否かにより、特定した監視対象エリアを通過した保護対象者がいるか否かを判定する。
【００７０】
具体的には、顔認証照合部２２は、移動履歴データベース２７に、Ｓ３２で特定した監視対象エリアを示すエリア情報が登録されたレコードが無ければ、特定した監視対象エリアを通過した保護対象者がいないと認定する。この場合、顔認証照合部２２は、顔認証照合処理を行うことなく、Ｓ３１の処理に戻る。
一方、顔認証照合部２２は、移動履歴データベース２７に、Ｓ３２で特定した監視対象エリアを示すエリア情報が登録されたレコードがあれば、特定した監視対象エリアを通過した保護対象者がいたと認定して、Ｓ３５の処理に進む。
【００７１】
Ｓ３５では、顔認証照合部２２は、移動履歴データベース２７から、Ｓ３２で特定した監視対象エリアを示すエリア情報が登録されたレコードを全て抽出し、抽出したレコードのフィールド２７ａに登録されている保護対象者ＩＤを読み出し、Ｓ３６の処理に進む。例えば、Ｓ３２で特定した監視対象エリアを示すエリア情報が登録されたレコードが１０件あれば、その１０件のレコードに登録された保護対象者ＩＤを読み出す。
尚、上記の保護対象者ＩＤを読み出す処理において、現在日時から所定範囲内の受信日時（通過日時）が登録されているレコードの保護対象者ＩＤだけを読み出すようにしても良い。このようにすることで、以下で行う顔認証照合処理の対象を、現在日時から所定時間内にカメラの監視対象エリアを通過した保護対象者の画像に絞り込むことができる。
【００７２】
Ｓ３６では、顔認証照合部２２は、Ｓ３５で抽出した保護者ＩＤ及び保護対象者情報データベース２５（図５）を用いて、保護対象者情報データベース２５（図５）から、Ｓ３５で読み出した保護者ＩＤが登録されたレコードを全て抽出して、Ｓ３７の処理に進む。
【００７３】
Ｓ３７では、顔認証照合部２２は、Ｓ３６で抽出したレコードのフィールド２５ｅに登録された「保護対象者の画像データ」と、Ｓ３１で受信した撮像画像とを顔認証照合処理により照合し、抽出したレコードの画像データと、カメラＣ１…Ｃｎが撮像した撮像画像とが一致するか否かを判定する。
【００７４】
Ｓ３７の処理により、Ｓ３６で抽出したレコードの画像データと、カメラＣ１…Ｃｎが撮像した撮像画像とが一致した場合には「保護対象者が施設の出入口を通過している」と判定してＳ３９に進み、一致しない場合には「保護対象者が施設の出入口を通過していない」と判定してＳ３１の処理に戻る（Ｓ３８）。尚、Ｓ３６で複数のレコードが抽出されている場合には、抽出した全てのレコードの画像データが撮像画像と一致しなかったときにＳ３１の処理に戻る。
【００７５】
Ｓ３９では、顔認証照合部２２は、情報提供サーバ３に、「保護対象者が施設の出入口（カメラの設置位置）を通過している旨、その保護対象者の保護対象者情報（保護対象者データベース２５に登録されている情報（保護対象者ＩＤ、性別、年齢、氏名及び備考情報））、その保護対象者の撮像画像（カメラＣ１…Ｃｎから送信された撮像画像）、予め記憶している施設情報（施設ＩＤ）」を送信して、Ｓ３１の処理に戻る。
尚、情報提供サーバ３に送信する「施設の出入口（カメラの施設位置）」は、Ｓ３２で特定した情報を用いる。
【００７６】
次に、情報提供サーバ３が行う処理と、スマートフォンＳＰが行う処理とについて、図１２及び図１４を用いて説明する。
尚、図１２は、本実施形態の徘徊防止システムを構成する情報提供サーバが、スマートフォンに保護対象者に関する情報を提供する処理の手順を示したフローチャートである。また、図１４は、本実施形態の徘徊防止システムがスマートフォンに提供する保護対象者に関する情報を表示する画面を示した模式図である。
【００７７】
図１２に示すように、情報提供サーバ３の情報提供部３１は、顔認証照合装置２から送信された「保護対象者が施設の出入口（カメラの設置位置）を通過している旨、その保護対象者の保護対象者情報、その保護対象者の撮像画像（カメラＣ１…Ｃｎから送信された撮像画像）、施設情報（施設ＩＤ）」を受信すると（Ｓ４１）、その受信した情報と、端末データベース３５とを用いて、受信した保護対象者情報に対応付けられたスマートフォンＳＰを特定し、特定したスマートフォンＳＰに対して、プッシュ通知サーバ７を介して、「保護対象者が施設の出入口（カメラの設置位置）を通過している旨」及び「保護対象者情報提供サイトへのアクセス情報」をプッシュ通知する（Ｓ４２）。
【００７８】
具体的には、Ｓ４２では、情報提供部３１は、端末データベース３５を参照し、受信した「施設情報（施設ＩＤ）」が登録されているレコードを全て選択し、選択したレコードに登録されたデバイストークンを抽出する。また、情報提供部３１は、Ｓ４１で受信した情報を用いて、「カメラＣ１…Ｃｎが撮像した保護対象者の撮像画像」及び「判定結果（保護対象者が施設の出入口（カメラの設置位置）を通過している旨）」が含まれる保護対象者情報提供サイト情報を生成する。
また、情報提供部３１は、「保護対象者情報」を用いて、スプッシュ通知で提示するプッシュ通知情報（「保護対象者が施設の出入口（カメラの設置位置）を通過している旨」及び「保護対象者情報提供サイトへのアクセス情報」）と、デバイストークンとが含まれる通知パッケージを生成し、その通知パッケージをプッシュ通知サーバ７に送信する。
【００７９】
プッシュ通知サーバ７は、上記の通知パッケージを受信すると、通知パッケージに含まれるデバイストークンにより特定されるスマートフォンＳＰに対して、「保護対象者が施設の出入口（カメラの設置位置）を通過している旨）」及び「保護対象者情報提供サイトへのアクセス情報」を送信する。
【００８０】
次に、Ｓ４２において、プッシュ通知サーバ７を介して、情報提供部３１から「保護対象者が施設の出入口（カメラの設置位置）を通過している旨）」及び「保護対象者情報提供サイトへのアクセス情報」が送られたスマートフォンＳＰが行う処理を説明する。
【００８１】
具体的には、スマートフォンＳＰは、プッシュ通知サーバ７からの「保護対象者が施設の出入口（カメラの設置位置）を通過している旨）」及び「保護対象者情報提供サイトへのアクセス情報」を受信すると、その受信した情報を用いて、スマートフォンＳＰの表示部に、図１４（ａ）に示す保護対象者過情報通知画面１１０を表示する（Ｓ５１）。なお、スマートフォンＳＰは、プッシュ通知サーバ７からの情報を受信すると、振動（バイブレート）したり或いはサウンドを鳴らしたりするようになっている。
【００８２】
なお、図示する保護対象者通過情報通知画面１１０では、「保護対象者が施設の出入口（カメラの設置位置）を通過している旨」を示す情報が提示される領域１１１と、保護対象者情報提供サイトへのアクセスするためのＶｉｅｗボタン１１２とが設けられている。
この構成により、保護対象者が施設の出入口（カメラの設置位置）を通過する度に、施設の職員や警備員に、保護対象者が施設の出入口（カメラの設置位置）を通過していることが通知される。
【００８３】
そして、スマートフォンＳＰに表示された保護対象者通過情報通知画面１１０を見た、施設の職員等のユーザが、通知画面１１０上に設けられたＶｉｅｗボタン１１２を押すと、スマートフォンＳＰは、情報提供サーバ３の情報提供部３１にアクセスし、情報提供部３１に、保護対象者情報提供サイトの送信要求をする（Ｓ５２）。
情報提供サーバ３の情報提供部３１は、スマートフォンＳＰからの保護対象者情報提供サイトの送信要求を受けると、要求してきたスマートフォンＳＰに対して、Ｓ４２で生成した保護対象者情報提供サイト情報を送信する（Ｓ４３）。
【００８４】
情報提供サーバ３から保護対象者情報提供サイト情報が送信されると、スマートフォンＳＰは、情報提供部３１からの保護対象者情報提供サイト情報を受信する。また、スマートフォンＳＰは、受信した保護対象者情報提供サイト情報を用いて、表示部に保護対象者情報提供サイト画面１２０（図１４（ｂ）参照）を表示する(Ｓ５３)。
【００８５】
図示するように、保護対象者情報提供サイト画面１２０には、施設に設置したカメラＣ１…Ｃｎが撮像した「施設の出入口を通る保護対象者の撮像画像を表示する領域１２１と、その保護対象者が通過している出入口の位置を示す情報を提示する領域１２２とが設けられている。また、保護対象者情報提供サイト画面１２０には、該当する保護対象者に関する情報（氏名、年齢、要介護度、疾病情報、親族の連絡先）が提示された領域１２３と、対応完了を受け付けるボタン１２４とが設けられている。
【００８６】
上記の構成により、保護対象者が施設の出入口を通過した場合、スマートフォンＳＰを保持するユーザ（施設の職員等）に保護対象者が施設の出入り口を通過したことが通知できると共に、保護対象者の氏名、要介護度、保護対象者の病状情報が提示される。そのため、例えば、要介護度が高い（或いは病状が重い）保護対象者が施設の出入口を通過したことが通知された場合等に、施設の職員に対してより迅速な対応を採るように促すことができる。
【００８７】
以上、説明したように、本実施形態によれば、保護対象者が施設の出入口を通過した際に、施設の職員に保護対象者が施設の出入口等を通過したことがプッシュ通知により通知されるため、保護対象者の徘徊を効果的に防止することができる。
そして、本実施形態では、顔認証照合処理の対象を、各カメラＣ１…Ｃｎの監視対象エリアを通過した保護対象者の画像だけに絞り込めるため、顔認証照合処理の時間が短縮されると共に、顔認証照合処理の精度を向上させることができる。そのため、顔認証照合処理の対象となる認知症患者等の保護対象者の人数が多い施設においても、従来技術と比べて短時間で、施設の職員や警備員に保護対象者が施設の出入口等を通過した旨が通知され、保護対象者の徘徊を効果的の防止できる。
【００８８】
次に、本実施形態の変形例について、図１５〜図１７を用いて説明する。
ここで、図１５は、本実施形態の変形例の徘徊防止システムの機器構成を示した模式図である。また、図１６は、本実施形態の変形例の機器情報データベースを示した模式図である。また、図１７は、本実施形態の変形例の保護対象者対応情報データベースを示した模式図である。
【００８９】
本変形例は、上述した実施形態の徘徊防止システムに、施設の各エリアに設置した液晶ディスプレイ等で構成される表示装置Ｔや照明機器Ｌを制御する機器制御システムＤＳを追加したものである。
【００９０】
本変形例では、保護対象者が所定エリア（例えば、１階エントランスホール）を通過した際に、そのエリアに設置された照明機器Ｌから出力される光を明るくして（照明機器Ｌが消灯している際には点灯させ）、カメラＣが保護対象者を鮮明に撮像できるようにし、顔認証照合装置２による顔認証処理の精度を高めるようにしている。
また、本変形例では、各カメラＣの近傍にスピーカＳＰを設置しておき、保護対象者が所定エリア（例えば、１階エントランスホール）を通過した際に、そのエリアを監視する対象のカメラＣの近傍に設けたスピーカＳＰから音（音声や、音楽）を流して（出力して）、カメラＣのレンズに保護対象者の顔を向かせて（注意をひかせて）、カメラＣが保護対象者の顔を正面から撮像できるようにしている。
本変形例では、保護対象者が所定エリア（例えば、１階エントランスホール）を通過した際に、そのエリアに設置された液晶ディスプレイ等の表示装置Ｔから、保護対象者に向けた専用メッセージを流したり、表示装置Ｔからテレビ番組を流したり、表示装置Ｔの音量を大きくしたりして、保護対象者の注意をひいておき、施設の職員や警備員が当該エリアに到着するまでの時間を稼ぐようしている。
【００９１】
まず、本変形例の構成を説明する。
図１５に示すように、本変形例は、上述した実施形態の徘徊防止システムに、機器制御システムＤＳ（図中の破線で囲んだシステム）を追加したものである。機器制御システムＤＳは、実施形態の徘徊防止システムの顔認証照合装置２に、施設内のＬＡＮ等を介して接続されている。
【００９２】
具体的には、機器制御システムＤＳは、施設の各エリアに設置された表示装置（Ｔ１・・・Ｔｎ）と、施設に各エリアに設置された照明機器Ｌ（Ｌ１・・・Ｌn）と、チューナやアンプ等で構成される音響システムＡＳと、音響システムＡＳからの音信号を出力するスピーカＳＰ（ＳＰ１・・・ＳＰｎ）と、各機器（表示装置Ｔ、照明機器Ｌ、音響システムＡＳ）のオンオフや出力設定等を制御する集中コントローラ９とを有している。
【００９３】
上記の集中コントローラ９は、ＬＡＮを介して顔認証照合装置２と通信を行う通信処理部と、エリアに設置された機器（表示装置Ｔ、照明機器Ｌ等）や音響システムＡＳを制御する制御部と、各種データ（各エリアに設置された機器情報が格納された機器情報データベース４０と、保護対象者に向けたメッセージ等が格納された保護対象者対応情報データベース５０）を格納する記憶部とを備えている。
尚、集中コントローラ９は、例えば、中央処理装置（ＣＰＵ）、主記憶装置、補助記憶装置、入出力Ｉ/Ｆ及び通信Ｉ/Ｆを備えたコンピュータにより構成されている。また、前記補助記憶装置には、各部（通信処理部、制御部）の機能を実現するためのプログラムが格納されている。また、前記補助記憶装置には、機器情報データベース４０、及び保護対象者対応情報５０が記憶されている。そして、集中コントローラ９の各部（通信処理部、制御部）の機能は、前記中央処理装置が前記補助記憶装置に格納された前記プログラムを主記憶装置にロードして実行することにより実現される。
【００９４】
ここで、制御部は、「ＬＡＮを介して各表示装置Ｔに制御信号を送信して、表示装置Ｔのオンオフ制御や音量設定、所定の動画情報を送信して表示装置Ｔに動画を表示させる機能」と、「ＬＡＮを介して各照明装置Ｌに制御信号を送信して、照明装置Ｌのオンオフ制御や、出力する光の照度調節を行う機能」と、「音響システムＡＳを制御して、指定したスピーカＳＰから音を出力させる機能」とを有している。
【００９５】
また、機器情報データベース４０は、集中コントローラ９が、顔認証照合装置２からの「エリア情報及び保護対象者情報（保護対象者ＩＤ）」を受信した際に、施設内に設置された機器のなかのどの機器を制御すればよいのかを特定するために用いられるものであり、エリア情報毎に、「そのエリアに設置された機器を識別する設置機器ＩＤ」及び「そのエリアを監視対象としているカメラＣの近傍に設置されたスピーカを識別するスピーカＩＤ」を対応付けて記憶している。
【００９６】
具体的には、図１６に示すように、機器情報データベース４０は、エリア情報を登録するためのフィールド４０aと、フィールド４０aに登録されたエリア情報が示すエリアに設置された機器（表示装置Ｔ及び照明機器Ｌ）を識別する設置機器ＩＤを登録するためのフィールド４０ｂと、フィールド４０aに登録されたエリア情報が示すエリアを監視対象としているカメラＣの近傍に設置された機器（スピーカＳＰ）を識別するスピーカ（カメラ隣接機器）ＩＤを登録するためのフィールド４０ｃとを備えたレコードで構成されている（エリア情報毎に設けられた、複数のレコードで構成されている）。
【００９７】
保護対象者対応情報データベース５０は、集中コントローラ９が、顔認証照合装置２からの「エリア情報及び保護対象者情報（保護対象者ＩＤ）」を受信した際に、表示装置Ｔから出力させる動画を選定するために用いられるものであり、保護対象者ＩＤ毎に、その保護対象者を呼びかけるための動画情報（専用動画メッセージ）と、保護対象者の嗜好情報（趣味、好きな食べ物、好みの音楽、犬や猫等のペットが好き等の情報）とを対応付けて記憶している。
【００９８】
図示する例では、保護対象者対応情報データベース５０は、保護対象者ＩＤを登録するためのフィールド５０aと、フィールド５０ａに登録された保護対象者ＩＤにより特定される保護対象者を呼びかけるための動画情報（専用動画メッセージ）を登録するためのフィールド５０ｂと、フィールド５０ａに登録された保護対象者ＩＤにより特定される保護対象者の嗜好情報を登録するためのフィールド５０ｃとを備えたレコードで構成されている（保護対象者ＩＤ毎に設けられた、複数のレコードで構成されている）。なお、専用動画メッセージは、ビデオカメラ等により、保護対象者の親族等が話すメッセージを撮影したものである。
【００９９】
次に、本変形例による処理を説明する。
本変形例では、顔認証照合装置２は、上述した図１０のＳ２１において、ウェアラブル端末１からの「エリア情報」、「位置情報の受信日時」及び「保護対象者ＩＤ」を受信すると、Ｓ２２の処理に加えて、さらに、集中コントローラ９の通信処理部に、受信した「エリア情報及び保護対象者ＩＤ」を送信する。上記の送信された「エリア情報及び保護対象者ＩＤ」は、集中コントローラ９の通信処理部が受信する。
【０１００】
集中コントローラ９の制御部は、通信処理部を介して、顔認証照合装置２からの「エリア情報及び保護対象者ＩＤ」を取得し、受信したエリア情報及び機器情報データベース４０を用いて、制御する機器を特定する。具体的には、集中コントローラの制御部は、機器情報データベース４０のなかから、受信したエリア情報が登録されたレコードを抽出する。そして、前記制御部は、抽出したレコードのフィールド４０ｂに登録された設置機器ＩＤから、制御する機器を特定する。また、抽出したレコードのフィールド４０ｃに登録されたスピーカＩＤから、情報端末１を保持している保護対象者が通過した施設のエリアを監視対象にしているカメラＣの近傍に設置されたスピーカを特定する（カメラＣに保護対象者を振り向かせるためのスピーカＳＰを特定する）。
【０１０１】
また、集中コントローラ９の制御部は、通信処理部を介して、顔認証照合装置２からの「エリア情報及び保護対象者ＩＤ」を取得すると、取得した保護対象者ＩＤ及び保護対象者対応情報データベース５０を用いて、特定した機器のなかの表示装置Ｔに流す専用メッセージを選定して抽出する。具体的には、前記制御部は、保護対象者対応情報データベース５０のなかから、受信した「保護対象者ＩＤ」が登録されたレコードを抽出する。そして、抽出したレコードのフィールド５０ｂに登録された専用動画メッセージを抽出する。
【０１０２】
そして、集中コントローラ９の制御部は、機器情報データベース４０を用いて特定した照明機器Ｌに対して出力する光の照度を高くする制御信号を送信して、照明機器Ｌに所定以上の照度の光りを出力させ、保護対象者が通過したエリアを明るくする。なお、前記制御部は、特定した照明機器Ｌが消灯している（オフの状態になっている）ときには、その照明機器Ｌを点灯状態にする制御信号を送信して、照明機器を点灯させる。
この機能により、保護対象者が通過するエリアが照明機器Ｌにより明るくなるため、カメラＣが保護対象者を鮮明に撮像できるようになる。その結果、本変形例によれば、顔認証照合装置２による顔認証処理の精度を高めることができる。
【０１０３】
また、集中コントローラ９は、機器情報データベース４０を用いて特定した表示装置Ｔに対して、抽出した専用動画メッセージを表示させる。この場合、集中コントローラ９は、特定した表示装置Ｔに対して、専用動画メッセージを繰り返して再生させるようにする。なお、表示装置Ｔにテレビチューナ内蔵のテレビを用いる場合には、集中コントローラ９は、機器情報データベース４０を用いて特定した表示装置Ｔに対して、専用動画メッセージを流すのではなく、現在放送しているテレビ番組を流すようにしてもよく、この場合、保護対象者対応情報データベース５０のフィールド５０ｃの嗜好情報を用いて番組を選定するとよい。例えば、保護対象者がスポーツ好きな場合に、スポーツ中継を放送していれば、スポーツ中継の番組を選定するようにする（この場合、集中コントローラ９に、番組毎にジャンル情報を対応づけた放送番組予定情報を登録しておく）。
この機能により、そのエリアに設置された表示装置Ｔが表示する専用動画メッセージやテレビ番組の画像により、保護対象者をそのエリアに足留めさせる効果が期待でき、施設の職員や警備員が当該エリアに到着するまでの時間を稼ぐことができる。
【０１０４】
さらに、集中コントローラ９の制御部は、音響システムＡＳを制御して、特定した「カメラＣの近傍のスピーカＳＰ」から、保護対象者を振り向かせるための音情報を出力させる。
この機能により、保護対象者がカメラＣに顔を向ける効果が期待でき、保護対象者を正面から撮像できる可能性が高まる（その結果、顔認証照合装置２による顔認証処理の精度を高めることができる）。
【０１０５】
尚、本発明は、上述した実施形態や変形例に限定されるものではなく、その要旨の範囲内において種々の変更が可能である。
【０１０６】
例えば、上述した実施形態では、施設の出入口にカメラＣ１…Ｃｎが複数設置される場合を示したが、カメラＣ１が１台の場合であっても、本発明を適用することができる。この場合、例えば、以下のように構成する。
具体的には、カメラＣ１の撮像範囲を通過するために、必ず通る必要がある領域にビーコンＢ１…Ｂｎを設置しておく。また、保護対象者に、上述したウェアラブル端末１を保持させ、ビーコンＢ１…Ｂｎの近傍を通過すると、ウェアラブル端末１がビーコンＢ１…Ｂｎからの位置情報を受信し、顔認証装置２に、位置情報を受信した旨、位置情報の受信日時及び保護対象者ＩＤを送信するようにしておく。
顔認証装置２は、ウェアラブル端末１からの「位置情報を受信した旨及、受信日時及び保護対象者ＩＤ」を受信すると、その受信した情報を移動履歴データベース２７に登録していく。そして、顔認証照合装置２は、カメラＣから撮像画像を取得すると、移動履歴データベース２７に登録された保護対象者ＩＤを読み出し、保護対象者情報データベースに登録されたレコードのなかから、読み出した保護対象者ＩＤが登録されたレコードを抽出し、抽出したレコードに登録された保護対象者の画像データと、カメラＣの撮像画像とを顔認証照合処理をする。なお、上記の保護対象者ＩＤを読み出す処理において、現在日時から所定範囲内の受信日時（通過日時）が登録されているレコードの保護対象者ＩＤを読み出すようにしても良い。
この構成においても、顔認証照合処理の対象を、そのビーコンの設置エリアを通過した保護対象者の画像だけに絞り込めるため、顔認証照合処理の時間が短縮されると共に、顔認証照合処理の精度を向上させることができる。
【０１０７】
また、上述した実施形態では、情報提供サーバ３は、施設の職員等が保持するスマートフォンＳＰに、「保護対象者が施設の出入口を通過している旨」の通知を、プッシュ通知サーバ７を介して行っているが、特にこれに限定されるものではない。情報提供サーバ３が、プッシュ通知サーバ７と一体の装置で構成され、情報提供サーバ３から直接的にスマートフォンＳＰに、「保護対象者が施設の出入口を通過している旨」の通知がされるようになっていてもよい。
また、「保護対象者が施設の出入口を通過している旨」の通知が、プッシュ通知ではなく、例えば、電子メールで行うようになっていてもよい。この場合、情報提供サーバ３にスマートフォンＳＰのメールアドレスを登録しておき、スマートフォンＳＰのメールアドレス宛に、「保護対象者が施設の出入口を通過している旨」及び「保護対象者情報提供サイトへのアクセス情報（サイトのアドレス）」が記載された電子メールを送信する。
【０１０８】
また、上述した実施形態の情報提供サーバ３の構成は、一例に過ぎない。情報提供サーバ３の機能がクラウドで提供されるようになっていてもよい。
【０１０９】
また、上述した実施形態では、施設の職員等のユーザのスマートフォンＳＰに、保護対象者が施設の出入口を通過している旨の情報を提供しているが、スマートフォンＳＰは携帯情報端末の一例に過ぎない。ネットワークＮＷに接続可能な通信機能を備えた情報処理端末（スマートフォン、タブレッド型端末）であれば、本発明が適用される。
【０１１０】
また、保護対象者情報提供サイト画面１２０において、要介護度や疾病情報に応じて（例えば、要介護度が高い保護対象者には）、早急に対応するように強く促す情報（テキストデータやアニメーション等で示した情報）を表示するようにしてもよい。
【０１１１】
また、上述した実施形態では、スマートフォンＳＰ（端末）を特定する端末識別情報として、デバイストークンを用いているが、デバイストークンは、端末識別情報の一例に過ぎない。例えば、徘徊防止システムの管理者が、各スマートフォンＳＰに固有の端末識別情報を割り当てておき、情報提供サーバ３に、その固有の端末識別情報を登録するようにしておいてもよい。
【０１１２】
また、上述した実施形態の端末データベース３５では、ユーザＩＤ、パスワード及び端末識別情報（デバイストークン）に対応付けて施設情報（施設ＩＤ）が登録されているが、ユーザＩＤ及びパスワードは無くてもよい。
【符号の説明】
【０１１３】
Ｃ１・・・Ｃｎ…カメラ
Ｂ１・・・Ｂｎ…ビーコン
１…ウェアラブル端末（情報端末）
１０…位置情報取得部
１１…エリア情報生成部
１２…通信処理部
１５…保護対象者情報データベース
１６…位置情報テーブル
２…顔認証照合装置
２０…制御部
２１…通信処理部
２２…顔認証照合部
２５…保護対象者情報データベース
２６…カメラ情報データベース
２７…移動履歴データベース
３…情報提供サーバ
３０…制御部
３１…情報提供部
３５…端末データベース
７…プッシュ通知サーバ
ＳＰ…スマートフォン
２０…徘徊防止システム連携アプリ
ＤＳ…機器制御システム
Ｔ（Ｔ１・・・Ｔｎ）…テレビ
Ｌ（Ｌ１・・・Ｌn）…明機器
ＡＳ…音響システム
ＳＰ（ＳＰ１・・・ＳＰｎ）…スピーカ
９…集中コントローラ
４０…機器情報データベース
５０…保護対象者対応情報データベース
【要約】
【課題】徘徊する虞がある保護対象者を効果的の保護する徘徊防止システムを提供する。
【解決手段】カメラＣ１…Ｃｎと、顔認証照合装置２と、ビーコンＢ１…Ｂｎと、保護対象者が保持するウェアラブル端末１とを備える徘徊防止システムであって、ウェアラブル端末１が、ビーコンＢ１…Ｂｎからの位置情報を用いて施設のエリア情報を特定し、顔認証照合装置にエリア情報及び予め記憶している保護対象者情報を送信し、顔認証照合装置２が、ウェアラブル端末１からのエリア情報及び保護対象者情報を移動履歴データベース２７に記憶させる。顔認証照合装置２は、カメラＣ１…Ｃｎからの撮像画像及びカメラ識別情報を受信すると、移動履歴データベース２７を参照し、カメラＣ１…Ｃｎの監視対象エリアを通過した保護対象者を特定し、保護対象者ＤＢを用いて特定し保護対象者の画像と、撮像画像とが一致するか否かを顔認証照合により判定する。
【選択図】図１【図１】
0005876920.tif 000002
【図２】
0005876920.tif 000003
【図３】
0005876920.tif 000004
【図４】
0005876920.tif 000005
【図５】
0005876920.tif 000006
【図６】
0005876920.tif 000007
【図７】
0005876920.tif 000008
【図８】
0005876920.tif 000009
【図９】
0005876920.tif 000010
【図１０】
0005876920.tif 000011
【図１１】
0005876920.tif 000012
【図１２】
0005876920.tif 000013
【図１３】
0005876920.tif 000014
【図１４】
0005876920.tif 000015
【図１５】
0005876920.tif 000016
【図１６】
0005876920.tif 000017
【図１７】
0005876920.tif 000018